Podtech/llm-jp-corpus-v4-ja_patent huggingface dataset:
(57)【要約】【課題】一般家庭の生花や花卉へ継続的に給水する水に対して磁力線を作用させるとともに、簡単でかつ効率よく給水できる布製給水帯を提供する。【解決手段】給水帯１を構成する繊維及びその編地の毛管現象を利用して給水を行う。このとき、給水される水は、一端部１ａに取り付けた薄板状ゴム磁石３により磁力線が作用し磁化される。そして、給水帯１は花瓶１１或は植木鉢１３と水容器１２や給水タンク１４である給水源の間が、合成樹脂製の不透水性のフィルムシートから形成した筒体４に挿通されているから、給水途中の水が外気中へ蒸発するのを抑制して給水効率を高め得る。【選択図】      図１
2004344116.tif 000002
【特許請求の範囲】
【請求項１】
生花若しくは花卉と給水源の間を接続し、毛管現象を利用して給水する布製給水帯であって、適宜箇所に磁石を取付けるとともに、前記生花若しくは花卉と給水源の間を不透水性柔軟部材からなる筒体に挿通したことを特徴とする布製給水帯。
【発明の詳細な説明】
【０００１】
【発明の属する技術分野】
本発明は、生花若しくは花卉と給水源の間を接続し、毛管現象を利用して給水をする布製給水帯に関する。
【０００２】
【従来の技術】
特開２００１−２５１９８２号公報には、水耕栽培の栽培用ベットに供給する栽培液に磁力線を作用させて磁化することにより、植物の成長を促進させ、収量を増加し、耐病害虫性、品質等の向上を図る技術が開示されている。
【０００３】
【発明が解決しようとする課題】
しかしながら、上記の従来技術は一般家庭において生花や花卉へ継続的に給水するものとしては適当でない。
【０００４】
本発明は上記に鑑みてなされたものであって、一般家庭の生花や花卉へ継続的に給水する水に対して磁力線を作用させるとともに、簡単でかつ効率よく給水できる布製給水帯を提供することを目的とする。
【０００５】
【課題を解決するための手段】
上記問題を解決するための本発明の布製給水帯は、生花若しくは花卉と給水源の間を接続し、毛管現象を利用して給水をする布製給水帯であって、適宜箇所に磁石を取付けるとともに、前記生花若しくは花卉と給水源の間を不透水性柔軟部材からなる筒体に挿通したことを特徴とする。
【０００６】
【発明の作用及び効果】
上記構成の布製給水帯は、該給水帯を構成する繊維及びその編地の毛管現象を利用して給水源から生花若しくは花卉に給水する。このとき、給水される水は、磁石により磁力線が作用する。そして、給水帯の生花若しくは花卉と給水源の間が、不透水性柔軟部材からなる筒体に挿通されているから、給水途中で水が外気中に蒸発するのを抑制して給水効率を高め得る。布を必要な寸法に裁断して磁石を取り付け、不透水性柔軟部材からなる筒体に挿通するという簡易な構成により、磁力線を作用させた水を生花や花卉へ効率よく継続的に給水できる効果を有する。
【０００７】
【発明の実施の形態】
本発明の一実施形態について図面を参照して説明する。図１は布製給水帯（以下単に給水帯という）１の構成を示した斜視図である。給水帯１は給水布２と、薄板状ゴム磁石３と、合成樹脂製の不透水性のフィルムシートから形成した筒体４とから構成される。
【０００８】
上記給水布２は、布を必要な寸法に裁断し、若しくは所定の大きさに折り畳んで帯状に形成したもので、繊維及びその編地による毛管現象を利用して給水する。また、給水布２は不織布若しくはフェルトを用いることもできる。帯状に形成した給水布２には、薄板状ゴム磁石３が取り付けられる。取り付け位置は任意であるが、生花若しくは花卉にも磁力線が作用する一端部が望ましい。そして、給水布２の両端部を除く中間部分を合成樹脂製の不透水性のフィルムシートから形成した筒体４に挿通する。
尚、上記薄板状ゴム磁石３に代えて、金属製の永久磁石を用いることもできる。
【０００９】
上記構成の給水帯１は、図２に示すように花瓶１１に生けた生花に給水する場合は、薄板状ゴム磁石３が取り付けられた側の給水帯１の一端部１ａを、花瓶１１の底部に到達させ、他端部１ｂを水容器１２に入れた水に浸漬する。
【００１０】
また、図３に示すように植木鉢１３へ植栽される花卉に給水する場合は、薄板状ゴム磁石３が取り付けられた側の給水帯１の一端部１ａを、植木鉢１３の底部に埋め込み、他端部１ｂを給水タンク１４に入れた水に浸漬する。植木鉢の代わりにプランタを用いることもできる。
【００１１】
上記図２及び図３に示した何れの場合も、給水帯１を構成する繊維及びその編地の毛管現象を利用して給水を行う。このとき、給水される水は、一端部１ａに取り付けた薄板状ゴム磁石３により磁力線が作用し磁化される。そして、給水帯１は花瓶１１或は植木鉢１３と水容器１２や給水タンク１４である給水源の間が、合成樹脂製の不透水性のフィルムシートから形成した筒体４に挿通されているから、給水途中の水が外気中に蒸発するのを抑制して給水効率を高め得る。
【００１２】
上記に説明した給水帯１は、布を必要な寸法に裁断して薄板状ゴム磁石３を取り付け、合成樹脂製の不透水性のフィルムシートから形成した筒体４に挿通するという簡易な構成により、磁力線を作用させた水を生花や花卉へ効率よく継続的に給水できる。また、磁力線を作用させることにより、水中の細菌に対する抗菌作用や水溶液中の活性酸素低減等の効果が生じ、生花を長持ちさせたり花卉の生育に好影響を及ぼすことが期待できる。
【００１３】
尚、薄板状ゴム磁石３の給水布２への取り付けは、直接縫い付けたり貼り付けたりする。また、複数の薄板状ゴム磁石３の小片を、給水布２に散在状に取り付けてもよい。さらに、合成樹脂製の不透水性のフィルムシートから形成した筒体４の代わりに、図４に示すようにビニールやゴム製の可撓性パイプ２１を用いることもできる。薄板状ゴム磁石３に代えて、給水布２の長手方向に異方性マグネットシート２２を取付けても良い。
【図面の簡単な説明】
【図１】本発明に係る給水帯の斜視図である。
【図２】給水帯の使用状態を示した斜視図である。
【図３】給水帯の他の使用状態を示した斜視図である。
【図４】本発明に係る他形態の給水帯の斜視図である。
【符号の簡単な説明】
１…給水帯
２…給水布
３…薄板状ゴム磁石
４…筒帯
１１…花瓶
１２…水容器
１３…植木鉢
１４…給水タンク
２１…可撓性パイプ
２２…異方性マグネットシート
【図１】
2004344116.tif 000003
【図２】
2004344116.tif 000004
【図３】
2004344116.tif 000005
【図４】
2004344116.tif 000006
(57)【要約】【課題】本発明は、たこ焼きを作るときに蕎麦湯、短く切った蕎麦を使用する。このたこ焼きの特徴は蕎麦特有の風味を持ち、また、短く切った蕎麦を入れることにより、蕎麦の触感も感じられる美味しいたこ焼きを作る事にある。しかし、蕎麦は他の食材と混ぜ合わせると、蕎麦特有の風味が失われ易く、いかに蕎麦の風味を残したまま、たこ焼きとして作るかが課題となった。【解決手段】本発明は、たこ焼きを作る過程での小麦粉を溶く時に、蕎麦湯を使用することで、蕎麦特有の風味を引き出す事が出来た。また、短く切った蕎麦を具材の一つとして入れることで、蕎麦の触感も感じられる美味しいたこ焼きを作る事が出来た。【特許請求の範囲】
【請求項１】
たこ焼きは一般的に、小麦粉を水又は出汁で溶き、タコ、ネギ等の具材を入れてたこ焼き器で焼くが、本発明は、小麦粉を溶く時に蕎麦湯を使用し、具材の一つ短く切った蕎麦を入れ、蕎麦の風味と触感がするのを特徴とするたこ焼き。
【発明の詳細な説明】
【０００１】
【発明の属する技術分野】
本発明は、たこ焼きを作る時の材料及び製造方法に関することである。
【０００２】
【従来の技術】
たこ焼きは一般的に、小麦粉を水又は出汁で溶き、タコ、ネギ等の具材を入れてたこ焼き器で焼いて作る。また、たこ焼きに新たな具材を入れる点では、桜海老を用いたもの（特許文献１参照）などがあり、また、蕎麦の風味を生かして商品を蕎麦風味にするという点では、そばアイスクリーム（特許文献２参照）などがある。
【特許文献１】特開平０２−６９１６７号広報
【特許文献２】特開平０７−３１３７８号広報
【０００３】
【発明が解決しようとする課題】
蕎麦は、他の食材と混ぜ合わせると、蕎麦特有の風味が失われ易く、いかに蕎麦の風味を残したまま、たこ焼きとして作るかが課題となる。
【０００４】
【課題を解決するための手段】
本発明は、小麦粉を溶く時に蕎麦湯を使用する事で、蕎麦特有の風味を引き出す事ができ、具材の一つに短く切った蕎麦を入れる事で、蕎麦の触感も感じられる、美味しいたこ焼きを作る事が出来た。
【０００５】
【実施例】
本発明に使用される蕎麦湯とは、蕎麦を茹でる時の茹で湯である。
また、本発明は、蕎麦の風味を出すために、小麦粉を溶く時に蕎麦湯を使用し、触感が感じられるよう、短く切った蕎麦を具材の一つとして使用するというもので、焼き方や、タコ、卵、ネギ、天かす等の具材入れる事に関しては従来のたこ焼きと、同じである。
また、蕎麦湯の濃度も、本発明では特に指定しない。なぜならば、蕎麦湯の濃度が濃すぎると、蕎麦を茹でる時に蕎麦から溶け出したデンプンが作用し、たこ焼き器で焼いた時なかなかうまく固まらず、形が崩れる。また、蕎麦湯の濃度が薄すぎると、蕎麦特有の風味を生かせなくなり、本発明の課題を解決できなくなる。上記の理由で濃度は数値化せず、蕎麦湯は、色の濃さ、味の判断の上、たこ焼き器で焼いてから、蕎麦特有の風味を出せるように濃度調整する事とする。
［実施例１］
下記の蕎麦湯は３Ｌの沸騰したお湯に、生蕎麦１０人前を茹でた濃度である。
蕎麦湯１Ｌに小麦粉１５０ｇ、卵３個をよく溶いた溶液を作り、タコ、短く切った蕎麦、ネギ等の具材を入れ、たこ焼き器でたこ焼きを作った。
出来上がったたこ焼きは、蕎麦特有の風味がして、蕎麦の触感がする美味しいたこ焼きが出来た。
【０００６】
【発明の効果】
蕎麦の栄養成分には、ビタミンＢ１、Ｂ２。毛細血管を強くして、脳出血や出血性の諸病に対して予防効果があるとされているルチンが豊富に含まれているが、これらのビタミン類やルチンは非常に水に溶け易く、茹でる間にどんどん湯の中に溶け出している。蕎麦湯はその茹で湯なので、これらの栄養素の貴重な補給源でもある。また蕎麦のタンパク質も、その半分ほどが水に溶け易いので、これも蕎麦湯の中に豊富に含まれる。このタンパク質は蕎麦の旨味の成分でもあり、栄養面ばかりでなく、蕎麦をあますところなく味わうという事に関しても、本発明により、蕎麦湯の使用範囲が現代の食文化の中で一つ広がった。
(57)【要約】【課題】植木鉢を乾燥から守る受け皿とその中に置く素焼きの台またはブロックを提供する。【解決手段】植木鉢（５）の受け皿（１）に水を張り、この受け皿の中に素焼きの台（３）またはブロック（４）を設けることにより、鉢の底を常時湿らすことが出来る。また、受け皿（１）の周壁に排水孔（２）をもうけて、植木の根が呼吸できるような適当な水位まで水を張れるようにした。【選択図】    図  １
2004344152.tif 000002
【特許請求の範囲】
【請求項１】
植木鉢の受け皿本体の周壁に排水孔を設け、この受け皿本体の上部に毛細管現象で水分を吸い上げる機能を有した台を設け、この台は、前記受け皿内に水を張った時に水に沈まないで植木鉢を指示する高さを有することを特徴とする植木鉢の受け皿。
【発明の詳細な説明】
【０００１】
【発明の属する技術分野】
この発明は、適当な高さまで水が張れるよう排水孔を設けた、植木鉢の受け皿と、植木鉢を乗せる素焼きの台の組み合わせに関するものである。
【０００２】
【従来の技術】
従来、植木鉢の受け皿は、単に植木鉢から流れ出る水を受ける皿であり、植木鉢の乾燥を防ぐため鉢に水を注ぎ過ぎると、しばしば受け皿に水が溜り過ぎ、植木の根の呼吸を妨げて根腐れを招いていた。
【０００３】
【発明が解決しようとする課題】
ベランダで鉢植えの植物を育てる時、夏場はベランダが暑くなり、植木鉢全体も熱くなり、植物に悪影響を与えていた。
また鉢を冷やしたいため、鉢の受け皿に水が溜まる程たっぷりと水を注ぐと、しばしば鉢の底が水浸しになり、植木の根の呼吸を妨げて根腐れを招いていた。
本発明は、この問題を解決するためなされたものである。
【０００４】
【課題を解決するための手段】
植木鉢（５）の受け皿（１）に水を張り、この受け皿の中に鉢を支える素焼きの台（３）またはブロック（４）を設けることにより、鉢の底を常時湿らすことが出来る。また、受け皿（１）には排水孔（２）をもうけて、植木の根が呼吸できるように、素焼きの台（３）またはブロック（４）の高さより少し低い位置まで水を張れるようにした。
【０００５】
【発明の実施の形態】
以下、本発明の実施例について説明する。
植木鉢（５）の受け皿（１）の中に、水の気化熱を利用して鉢の熱を取るための素焼きの台（３）またはブロック（４）を設ける。
素焼きの台やブロックの素材としては毛細管現象で水を吸い上げるものが良い。また、受け皿（１）の周壁に素焼きの台（３）またはブロック（４）の高さより少し低い位置に排水孔（２）をもうけて、適当な水位まで水を張れるようにした。本発明は以上の構成よりなる。
これを使用する時は、受け皿（１）の中に素焼きの台（３）またはブロック（４）を置き、その上に植木鉢（５）をのせる。受け皿（１）に水を注ぐと素焼きの台（３）またはブロック（４）の毛細管現象で水を吸い上げ鉢の底を常時湿らすことができる。また注ぎ過ぎた水は排水孔（２）から流れ出るため植木鉢（５）の底が水浸しになる事はない。
【０００６】
【発明の効果】
（イ）植木鉢の受け皿に常時水を張り、水の気化熱で鉢を冷やすことができる。
（ロ）素焼きの台の毛細管現象で水を吸い上げ植木鉢の底を常時湿らす事ができる。
（ハ）排水孔を設けているので、植木鉢の底が水浸しになるのを防げる。
【図面の簡単な説明】
【図１】本発明の台を用いた場合の斜視図である。
【図２】本発明のブロックを用いた場合の斜視図である。
【図３】本発明の使用断面図である。
【符号の説明】
１、受け皿
２、排水孔
３、素焼きの台
４、素焼きのブロック
５、植木鉢
【図１】
2004344152.tif 000003
【図２】
2004344152.tif 000004
【図３】
2004344152.tif 000005
(57)【要約】【課題】鑑賞用の照明灯を人検知センサによって点滅させることで、水温上昇を防止する。【解決手段】水槽１０を備える。前記水槽１０に付属しかつ該水槽１０内を照明する照明灯３０を備える。前記水槽１０に近づく者を検知する人検知センサスイッチ３２を備える。前記水槽１０に人が近づいたときに前記照明灯３０を点灯し、前記水槽１０から人が離れたときに前記照明灯３０を消灯させる。【選択図】    図１
2004344153.tif 000002
【特許請求の範囲】
【請求項１】
水槽を備え、前記水槽に付属しかつ外水槽内を照明する照明灯を備え、前記水槽に近づく者を検知する人検知センサスイッチを備え、前記水槽に人が近づいたときに前記照明灯を点灯し、前記水槽から人が離れたときに前記照明灯を消灯させることを特徴とする水槽装置。
【発明の詳細な説明】
【０００１】
【発明の属する技術分野】
本発明は、鑑賞魚用の水槽と照明灯を備える備える水槽装置に関する。
【０００２】
【従来の技術】
従来の鑑賞用照明装置は、マニュアル式のＯＮ−ＯＦＦスイッチが搭載されている。鑑賞用照明装置に人検知センサスイッチを搭載した製品はない。
【０００３】
【発明が解決しようとする課題】
鑑賞魚飼育には、熱帯魚を主とする鑑賞用に飼育された魚類を飼う方法と天然魚を採取し飼育する二通りの飼育法が一般的である。熱帯魚類の場合は稚魚のころから明るい環境下で飼育されているため鑑賞用照明による影響はさほどないが特に天然魚の場合、生息環境と違うため、鑑賞用照明による光ストレスは多大である。この具体例としては、体色が変化してしまう固体やストレスからくる病害等が挙げられる。本発明が解決しようとする課題は鑑賞時や水替え時等人が近傍にいる時のみ鑑賞用照明を点灯させることによって魚に与える光ストレスを軽減する。
もうひとつの課題は、水温の温度上昇の防止である。常時、鑑賞用照明を点灯することによりランプ熱、点灯回路の発熱等の影響で水温が上がってしまう。特に夏場は外気温の上昇もあり相乗効果で水温変化は著しい。水温変化に敏感な魚達はストレスを被る。本発明の課題は鑑賞用照明を人検知センサによって点滅させることで、水温上昇を防止する。
【０００４】
【課題を解決するための手段】
鑑賞用照明の筐体前面に赤外線式人検知センサスイッチを搭載する。本構造により水槽の前方に人がいるときしか鑑賞用照明は点灯しない。
【０００５】
【発明の実施の形態】
本発明の実施形態を図１を用いて説明する。図示の水槽装置は水槽１０を備える。前記水槽１０に付属しかつ該水槽１０内を照明する照明灯３０を備える。前記水槽１０に近づく者を検知する人検知センサスイッチ３２を備える。前記水槽１０に人が近づいたときに前記照明灯３０を点灯し、前記水槽１０から人が離れたときに前記照明灯３０を消灯させる。
図１の水槽装置は魚をいれる水槽１０と、その上部後方に濾過装置２０を配置し、その前部に鑑賞用の照明灯３０をセットする。そして、水槽１０筐体前面に人検知センサスイッチ３２を備える。
【０００６】
【発明の効果】
本発明によれば、人が水槽の前方にいる時しか鑑賞用照明が点灯しないので、魚に影響を与える光ストレスおよび水温変化を抑制することができ、よりよい飼育環境が提供できる。
【図面の簡単な説明】
【図１】本発明の鑑賞用照明の設置例である。
【符号の説明】
１０：水槽、２０：濾過装置、３０：鑑賞用照明、３２：人検知センサスイッチ
【図１】
2004344153.tif 000003
(57)【要約】【課題】建築現場や農業用ビニールハウスなどのビニールシートを骨組みパイプに固定するときに使用する固定具をしっかり固定し、取外すときは簡単に取外しやすいように、薄いフィルム状の自由に変形できるシートを円筒状に手の入る穴を開け、ビニールシートを骨組みパイプに固定するときは一緒に固定し隙間を埋めることができ、またビニールシートとビニールシート固定具の間に配置することにより直接ビニールシートとビニールシート固定具が当たることがないので強風でビニールシートが激しく動いてもビニールシート固定具との接点から亀裂や破損することを防止できる。取り外しのときは穴に手を入れ引張るだけで簡単にビニールシート固定具を取外すことができるものを提供する。【解決手段】両側に開口部（２）を設けた薄いフィルム製筒（１）の片側或るいは複数箇所に手の入る穴（３）を設けたビニールシート固定具取り外し具を特徴とする。【選択図】図４
2004344157.tif 000002
【特許請求の範囲】
【請求項１】
薄いフィルム状の自由に変形できるシートを円筒状にしたビニールシート固定具の取り外し具。
【請求項２】
薄いフィルム状の自由に変形できるシートの両端に指や手のひらが入る穴を開けたビニールシート固定具の取り外し具。
【請求項３】
薄いフィルム状の自由に変形できるシートを円筒状にし任意の位置に指や手のひらが入る穴を開けたビニールシート固定具の取り外し具。
【請求項４】
薄いフィルム状の自由に変形できるシートを円筒状にし任意の位置に指や手のひらが入る穴を開け、ビニールシートとパイプなどの隙間を埋めて、且つビニールシートがビニールシート固定具に当たり破損することを防止し、しっかり固定させる機能を持つビニールシート固定具の取り外し具。
【発明の詳細な説明】
【０００１】
【発明の属する技術分野】
この発明は建築現場や農業用ビニールハウスなどのビニールシートとパイプなどを固定する固定具とビニールシート間の隙間を無くし、しっかりとビニールシートとパイプなどを固定具で固定させることができ又、ビニールシートを取外す時、固定具を簡単に取外せる用具に関するものである。
【０００２】
【従来の技術】
従来、建築現場の作業シートや農業用ビニールハウスや防風ネットを骨組みパイプにしっかり固定する時にビニールシートなどと骨組みパイプを一緒に固定する固定具を使っている。しかし、ビニールシートなどを取外す時、固定具を取外すのにドライバーなどで無理に取外したり、手で取っていた。
【０００３】
【発明が解決しようとする課題】
これは、つぎのような欠点があった。
（イ）ドライバーなどを差込んで取る時ビニールシートや防風網を破いたりパイプを傷つけ変形させたり、固定具を壊す。また、取外しに手間がかかった。
（ロ）手で固定具を取外す時に非常に外し難く爪や指を怪我してしまう。
（ハ）ビニールシートとパイプを一緒に固定する固定具の内側寸法が違い、隙間があり固定具が強風などで取れてしまうことがある。
（ニ）ビニールシートとビニールシート固定具が直接当たり強風が吹くとビニールシートが激しく動きビニールシート固定具との接点からビニールシートが破損する。
本発明は、以上のような欠点をなくすためになされたものである。
【０００４】
【課題を解決するための手段】
両側に開口部（２）を設けた薄いシート製筒（１）の１箇所或るいは複数箇所に穴（３）を設ける。
本発明は、以上の構成によりなるビニールシート固定具取外し具である。
【０００５】
【発明の実施の形態】
以下、本発明の実施形態について説明する。
両側に開口部（２）を設けた薄いシート製筒（１）の１箇所或るいは２箇所に穴（３）を設ける。
本発明は、以上のような構造でこれを使用するときは、両側に開口部（２）を設けた薄いシート製筒（１）の片側或るいは両側に穴（３）を設けたビニールシート固定具取外し具の中にビニールシート固定具（５）を入れて、固定したいパイプなどにビニールシート（７）と一緒に押し込んで固定する。この時パイプ（４）などとビニールシート固定具（５）間の隙間が無くなり、より強固に固定することができる。また、ビニールシート（７）などの交換時にビニールシート固定具（５）を取外す時は両側に開口部（２）を設けた薄いシート製筒（１）の１箇所或るいは２ヶ所に穴（３）を設けたビニールシート固定具取外し具の穴（３）に指や手を差込み引っ張ることでビニールシート固定具（５）の両端が開くので無理なく簡単に能率よく取外すことができる。
【０００６】
【発明の効果】
本発明は上記の如く、パイプなどにビニールシート（７）を固定する時パイプなど（４）とビニールシート（７）とビニールシート固定具（５）の間に両側に開口部（２）を設けた薄いシート製筒（１）の１箇所或るいは２ヶ所に穴（３）を設けたビニールシート固定具取外し具が一緒に挟まり隙間を無くし強固に固定できる。また、ビニールシート（７）などの交換の時にビニールシート固定具（５）を取外す際、両側に開口部（２）を設けた薄いシート製筒（１）の片側或るいは両側に穴（３）を設けたビニールシート固定具取外し具の穴（３）を手で引張るだけでビニールシート固定具（５）の両端を左右に引き開き簡単に怪我することなく他の道具を使用せず、またビニールシート（７）やビニールシート固定具（５）も傷つけたり壊したりせずに効率よく手間を省き取外すことが可能であり、強風でビニールシートとビニールシート固定具の接点からビニールシートが破損することを防止できるのである。
【図面の簡単な説明】
【図１】本発明の形態例の全体斜視図である。
【図２】本発明の形態例の使用状態の拡大図である。
【図３】本発明の形態例の使用状態の側面図である。
【図４】本発明の形態例の使用状態の側面図である。
【図５】本発明の形態例の全体斜視図である。
【図６】従来ビニールシート固定具で固定されたビニールシートの使用状態の斜視図である。
【符号の説明】
１  薄シート製筒
２  開口部
３  穴
４  パイプ
５  ビニールシート固定具
６  手
７  ビニールシート
【図１】
2004344157.tif 000003
【図２】
2004344157.tif 000004
【図３】
2004344157.tif 000005
【図４】
2004344157.tif 000006
【図５】
2004344157.tif 000007
【図６】
2004344157.tif 000008
(57)【要約】【課題】陳列に伴う開梱が容易で、低コストで製造できる切断陳列箱を提供する。【解決手段】周壁をなす各側板１，２から延出したフラップ４，５で底面及び天面を閉止する段ボール箱において、各側板１，２に門形切目を入れて舌片６を形成すると共に、その端部付近から上角部へかけて鉤形の切目が断続するジッパ１０を形成する。舌片６を押し込み、その抜出穴に手を入れ、抜出穴の上縁部を引き上げてジッパ１０を切断するだけで、手向きにかかわらず容易に開梱でき、また、フレキソグルアのダイカッタを用いて低コストで製造できる。【選択図】  図４
2004344236.tif 000002
【特許請求の範囲】
【請求項１】
周壁をなす各側板から延出したフラップで底面及び天面を閉止し、周壁を切断して、その切断縁の上方部分を除去した開梱状態で商品を陳列する切断陳列箱において、前記周壁を切断するため、各側板に門形切目を入れて舌片を形成すると共に、その端部付近から上角部へかけて鉤形の切目が断続するジッパを形成したことを特徴とする切断陳列箱。
【発明の詳細な説明】
【０００１】
【発明の属する技術分野】
この発明は、周壁を切断して商品を陳列する切断陳列箱に関するものである。
【０００２】
【従来の技術】
一般に、図５に示すように、周壁をなす各側板５１，５２から延出したフラップ５３，５４で底面及び天面を閉止し、周壁内面に切裂帯として貼着したカットテープ５５を始端切目５６から引っ張って周壁を切断すると、その切断縁の上方部分を除去した開梱状態で商品を陳列できる切断陳列箱が使用されている。
【０００３】
また、カットテープ５５に代えて、周壁をなす段ボールの片面のライナに２本並行する切目線を入れて切裂帯を形成し、その切裂帯をカットテープ５５と同様に引っ張って開梱できるようにした切断陳列箱もある。
【０００４】
【発明が解決しようとする課題】
しかしながら、上記のような切断陳列箱では、カットテープやライナカットにより形成した切裂帯を引っ張る際、手向きがよくないと、作業がやりにくく、開梱に手間取る場合がある。
【０００５】
また、製造に際し、カットテープの貼着やライナカットは、段ボールの製造工程で行わなければならず、このような段ボールからブランクを形成する際、無駄が生じて、製造コストが高くなるという問題もある。
【０００６】
そこで、この発明は、陳列に伴う開梱が容易で、低コストで製造できる切断陳列箱を提供することを課題とする。
【０００７】
【課題を解決するための手段】
上記課題を解決するため、この発明は、周壁をなす各側板から延出したフラップで底面及び天面を閉止し、周壁を切断して、その切断縁の上方部分を除去した開梱状態で商品を陳列する切断陳列箱において、前記周壁を切断するため、各側板に門形切目を入れて舌片を形成すると共に、その端部付近から上角部へかけて鉤形の切目が断続するジッパを形成したのである。
【０００８】
この切断陳列箱は、舌片を押し込んで、その抜出穴に手を入れ、抜出穴の上縁部を引き上げてジッパを切断することにより、容易に開梱できる。
【０００９】
また、段ボールの製造工程で切裂帯の加工を施す必要がなく、印刷や糊付を行うフレキソグルアのダイカッタを用いて製造できる。
【００１０】
【発明の実施の形態】
以下、この発明の実施の形態を添付図面に基づいて説明する。
【００１１】
この切断陳列箱は、図１に示すような段ボール製のブランクから成り、このブランクでは、各一対の幅面及び長面の側板１，２が交互に連設され、一方の側板２の外縁には継代３が連設されている。側板１，２の上下縁にはフラップ４，５がそれぞれ連設されている。
【００１２】
側板１，２には、舌片６が門形切目７を上向きに入れることにより形成され、舌片６の基端には折目８が入れられている。側板２には舌片６が間隔をおいて２個横に並べられ、その間には切目９が入れられている。切目７，９には、梱包時の破断を防止する繋部が数箇所に設けられている。
【００１３】
また、側板１には、舌片６の両端部付近から上角部へかけて、側板２には、各舌片６の外側の端部付近から上角部へかけて、それぞれ鉤形の切目が断続するジッパ１０が形成されいている。
【００１４】
上記のようなブランクを組み立てて商品を梱包するには、図２に示すように、各一対の側板１，２を角筒状に折り曲げ、継代３を反対側の側板１に貼り付けて周壁を形成し、フラップ４，５を内側へ折り曲げて底面及び天面を閉止する。
【００１５】
一方、店頭において、この箱を開梱して商品を陳列する際には、図３に示すように、切目７の繋部を切断して、舌片６を押し込む。このとき、舌片６は、折目８をヒンジにして簡単に内側へ倒すことができる。
【００１６】
そして、舌片６の抜出穴に手を入れ、切目７がなす抜出穴の上縁部を引き上げて、ジッパ１０及び切目９の繋部を切断し、図４に示すように、その上方部分を除去すると、商品を露出させて陳列することができる。
【００１７】
このように、上記切断陳列箱は、各側板１，２の上部を舌片６の抜出穴から上方へ引き上げるだけで、手向きにかかわらず容易に開梱できるので、店頭での陳列作業を能率的に行うことができる。また、舌片６を、この実施形態のように上向きではなく、下向きに形成しても、同様に開梱することができる。
【００１８】
また、この切断陳列箱は、段ボールの製造工程でカットテープの貼着やライナカットを施す必要がなく、印刷や糊付を行うフレキソグルアのダイカッタを用いて製造できるため、低コストで供給することができる。
【００１９】
なお、この切断陳列箱は、ジッパ１０が上角部まで達しているため、重量物を梱包して積み上げると、周壁に座屈を生じやすいことから、カップ入り食品等、軽量であって積上時の荷重をそれ自体で支持できる商品の梱包に適している。
【００２０】
【発明の効果】
以上のように、この発明に係る切断陳列箱は、周壁をなす各側板に、門形切目を入れて舌片を形成すると共に、その端部付近から上角部へかけて鉤形の切目が断続するジッパを形成したので、陳列時には、舌片を押し込んで、その抜出穴の上縁部を引き上げるだけで、容易に開梱できる。
【００２１】
また、段ボールの製造工程でカットテープの貼着やライナカットを施す必要がなく、印刷や糊付を行うフレキソグルアのダイカッタを用いて製造できるため、低コストで供給することができる。
【図面の簡単な説明】
【図１】この発明の実施形態に係る切断陳列箱のブランクを示す図
【図２】同上の梱包状態を示す斜視図
【図３】同上の開梱過程を示す斜視図
【図４】同上の開梱状態を示す斜視図
【図５】従来の切断陳列箱を示す斜視図
【符号の説明】
１，２  側板
３  継代
４，５  フラップ
６  舌片
７  切目
８  折目
９  切目
１０  ジッパ
【図１】
2004344236.tif 000003
【図２】
2004344236.tif 000004
【図３】
2004344236.tif 000005
【図４】
2004344236.tif 000006
【図５】
2004344236.tif 000007
(57)【要約】      （修正有）【課題】立体型はめパズルはピースとボックスに空けられている穴が同じで、ピースの形状が変化するものはなく、はめ込む穴とピースは１：１であった。【解決手段】絵カードをピースとし、箱形ボックスのそれぞれの面に絵柄が書いており、絵カードとボックスの絵を合わせて複数のカードを入れることができ、ボックスに空けられる穴の形状が違うことにより、絵カードを円形、半円と形を変化させることで、手先を器用にし、創造性を養うものである。【選択図】  図１
2004344202.tif 000002
【特許請求の範囲】
【請求項１】
絵カードをピースとし、箱形ボックスのそれぞれの面に絵柄が書いており、絵カードとボックスの絵を合わせて入れることを特徴とするパズル
【請求項２】
絵カードは厚み、長さ、形を変え、ボックスに空けられる穴の形状は直線、半円、円と変わってくることを特徴とする請求項１記載のパズル
【発明の詳細な説明】
【０００１】
【発明の属する技術分野】
この発明は、幼児教育玩具の型はめパズルのピースの形態に関する。
【０００２】
【従来の技術】
従来の型はめパズルはピースとボックスに空けられている穴が同じで、ピースと穴の数は１：１であり、複数のピースを形状を変化させてはめ込むものはない。
【０００３】
【発明が解決しようとする課題】
しかしながら、以上の従来技術によれば、片手でおいても、ピースをはめ込むことが可能である。
そこで、この発明は、ピースを両手を同時に使いながら、はめ込むことが必要となり、手先の発育促進をより支援することを提供することを課題とする。
【０００４】
【課題を解決するための手段】
以上の課題を解決するために、請求項１の発明は、絵カードをピースとし、箱形ボックスのそれぞれの面に絵柄が書いており、絵カードとボックスの絵を合わせて入れることを特徴とするパズルである。
また、請求項２の発明は、絵カードは厚み、長さ、形を変え、ボックスに空けられる穴の形状は直線、半円、円と変わってくることを特徴とするパズルである。
【０００５】
【発明の実施の形態】
この発明の一実施形態を、図１に示す。
パズルボックスは箱形であり、６面すべてにカードピースをはめ込む穴があいており、絵が描かれています。１は植物カードの短い方（太い）を使って、カーブの大きさにあうように、カードを曲げながら、はめ込む。２は乗り物カードの長い方（薄い）を使って、カーブの大きさにあうように、カードを曲げながら、はめ込む。
図２に示す面で示す。
３は食べ物カードの短い方（薄い）を使って細い筒状を作り、はめ込む。４は魚カードの長い方（太い）を使って太い筒状を作り、はめ込む。
図３に示す面で示す。５では動物カードの短い方（太い）を使って、はめ込む。６では虫カードの長い方（薄い）を使って、はめ込む。
【０００６】
【実施形態の効果】
この実施形態によれば、両方の手を同時に力加減をしながら、はめ込んでいくので、手先の発達によいものである。また、長い・短い・太い・細い・小さい・大きいという形態を、わかりやすく理解させることができる。また、植物・乗り物・食べ物・魚・動物・虫と、絵カードを楽しく分別することができる。
【０００７】
【他の実施形態】
図１、図２、図３、ともカードを使ってのパズルだが、長四角・円柱・半円型・球の形になったピースでもよい。
【０００８】
【発明の効果】
以上説明したように、この発明によれば、パズルに入れるべきピースは形として完成されたものでなくても良く、ピースの形を作らなければなりません。ピースの形を作るという行為により、想像力を養います。
【０００９】
さらに、両方の手先を同時に使うことにより、脳においても良い刺激を与える上に、手先の器用さを促進します。
【図面の簡単な説明】
【図１】この発明の一実施形態を示すそれぞれの面に絵の描かれた斜視図である。
【図２】この発明の一実施形態を示すそれぞれの面に絵の描かれた斜視図である。
【図３】この発明の一実施形態を示すそれぞれの面に絵の描かれた斜視図である。
【符号の説明】
１・２で表す斜線部分は絵カードをはめ込む穴であり、厚みと大きさが違うカーブ。
３・４で表す斜線部分は絵カードをはめ込む穴であり、大きさの違う円。
５・６で表す斜線部分は絵カードをはめ込む穴であり、太さと長さが違う線。
【図１】
2004344202.tif 000003
【図２】
2004344202.tif 000004
【図３】
2004344202.tif 000005
(57)【要約】【課題】光硬化性樹脂の作業性改善、性能向上をはかり、接着以外の用途拡大が出来る様にすること。【解決手段】光硬化性樹脂に、低級アルコールに溶解した重合性植物油を１％乃至３０％添加して、重合性植物油、低級アルコールの特性を光硬化性樹脂に付与したこと。【特許請求の範囲】
【請求項１】
ウレタンオリゴマー、エポキシアクリレート、ポリエーテルアクリレートなど光硬化性樹脂に低級アルコールで稀釈したテレピン油、ユーカリ油などの重合性植物油を１％乃至３０％添加した重合性植物油を配合した光硬化性樹脂。
【発明の詳細な説明】
【０００１】
【発明の属する技術分野】
この発明は、ウレタンオリゴマー、エポキシアクリレートなどの光硬化性樹脂の作業性改善、性能向上に関するもので、国際特許分類Ｃ０８Ｇ　１８／６７、Ｃ０９Ｆ　７／００などに属する。
【０００２】
【従来の技術】
ウレタンオリゴマー、ウレタンアクリレート、エポキシアクリレートなどの光硬化性樹脂は粘度が高く、作業時加温が必要であり、常温での作業は不可能であつた。そのため付属機器も多く、作業環境も好ましくなかつた。
【０００３】
【発明が解決しようとする課題】
光硬化性樹脂の作業性改善、常温で硬化出来る添加物の配合と、硬化した光硬化性樹脂の性能向上。
【０００４】
【課題を解決するための手段】
ウレタンオリゴマーなどの光硬化性樹脂に、光重合性のあるテレピン油、ユーカリ油などをエチルアルコールなどの低級アルコールに稀釈した溶液を加え、その混合液に光エネルギーを照射し重合させる。
【０００５】
テレピン油などはウレタンオリゴマーとは相溶性が劣り、混和しにくいので、エチルアルコールに溶解して混和する。溶解濃度は光硬化性樹脂の性質、成形物の形状など検討し決定する。
【０００６】
【発明の実施の形態】
エチルアルコール１００ｍｌにテレピン油５ｍｌ加え混和し、この混和液を光重合開始剤を添加したウレタンオリゴマー５００ｍｌに混合し、良く撹拌して必要あれば脱泡して、光硬化性樹脂として使用する。
光などにより重合する植物油は、テレピン油以外にもユーカリ油など多数あり、母体となる光硬化性樹脂に、同様な方法で配合が出来る。
【０００７】
【発明の効果】
この発明は、ウレタンオリゴマー、エポキシアクリレートなどの高粘性物質を低粘度化して、作業時の加温は不要となり省エネルギー効果は大きい。
また、重合性植物油の特性付与、例えばユーカリ油の添加により、光エネルギーで硬化した製品にユーカリ臭の付香ができ、製品の商品価値の向上が出来る。特に、ウレタンオリゴマーのように主用途が接着であり、成形品には不適と考えられていた品種が注型などで成形品が出来、標本なども封入しうるアクリル樹脂代替えも可能であり、その用途・販路拡大に役立つ意義は広範である。
その他、テレピン油などを低級アルコールに混和した液体をウレタンオリゴマーなどに注入混合するので、光重合に利用する光硬化性樹脂の比重調節が容易であり、特許公告昭和４４−１６２３２号による液面利用による成形も出来る。
(57)【要約】【課題】本発明はセメントモルタルに発生する落下事故を防止するためセメントモルタルを強硬、耐酸、強接着と改良し、少しでも資源を節約するエポキシセメントモルタルを提供する。【解決手段】水硬性セメントモルタルに、水に溶けない、水に混ざらない２液性の湿潤面接着エポキシ樹脂を少量混合することを特徴とする。【特許請求の範囲】
【請求項１】
水硬性セメントモルタルに２液性湿潤面接着エポキシ樹脂を少量混和する事を特徴としたエポキシセメントモルタル。
【発明の詳細な説明】
【０００１】
【発明の属する技術分野】
本発明のエポキシセメントモルタルは、外壁の仕上げ及び、ビルやトンネルで頻発するモルタルの危険な剥離落下を防止するためモルタル内に２液性湿潤面接着エポキシ樹脂を混和する事でモルタルを強接着、強硬、耐酸、耐久性に改良するためのエポキシセメントモルタルに関するものである。
【０００２】
【従来の技術】
従来、セメントモルタルは、水で硬化する性質上、セメントモルタルに使用される改良混和剤は全て水に溶いて使用するものであった。
【０００３】
【発明が解決しようとする課題】
モルタルの混和剤には、３つ改良事項がある。
（イ）水で溶いた混和剤は、水の蒸発に依り体積が収縮し、モルタル粒子間に隙間を残す。
（ロ）防水性を重視し大量に使用すればモルタル粒子間の隙間は塞げるがモルタルの強度は落ち大きな亀裂を大量に発生し空気や水を通す。
（ハ）混和剤は塩分や酸などに対する耐薬品性に欠けている。
本発明は、これらの欠点を除くためになされたものである。
【０００４】
【課題を解決するための手段】
水硬性セメントモルタルに、水に溶けず、水と混ざらない２液性の湿潤面接着エポキシ樹脂を少量混和する。
本発明は、以上のような構成よりなるエポキシセメントモルタルである。
【０００５】
【発明の実施の形態】
先ず２液性湿潤面接着エポキシ樹脂の長所と欠点を説明すると、
長所は、
（イ）比重が１．１ｇと水より重く、モルタル硬化の余剰水と一緒に流失しない。
（ロ）ヘルメットや漁船の製造に使われる様に強靭強硬である。
（ハ）薬品槽の製作やコンクリート槽のライニング及び海上橋梁の防錆塗料となる様に耐塩、耐酸、耐薬品性で耐久性である。
欠点は、
（イ）低温５℃以下では硬化が進まず使用不能。
（ロ）高温１００℃以上では柔くなり可燃性で燃えやすく有毒ガスを発生する。従来のセメントモルタルに２液性湿潤接着エポキシ樹脂を少量混合すると、モルタルは次の様に改善される。
（イ）セメント内に含まれる原料のシリカー（灰）の流失が防止でき、モルタル粒子間の水密性を高める。
（ロ）２液性湿潤面接着エポキシ樹脂は液体高分子でモルタル粒子を被膜し、なお、モルタル粒子間の隙間を塞ぎ、酸性雨や二酸化炭素などの空気や水を通さなくなる。
（ハ）２液性湿潤面接着エポキシ樹脂は防錆塗料であり、またセメントのアルカリ酸化を防止する。
従来のセメントモルタルに２液性湿潤面接着エポキシ樹脂を混合する事に依り、モルタル工事やコンクリート工事に使われる鉄筋はエポキシ樹脂とアルカリの酸化防止で半永久に近い殆ど防錆し鉄筋の爆裂事故を防止する。
（ニ）２液性水面接着エポキシ樹脂は水で硬化する様に練ったモルタルの中に混合されるので５℃以下の低温下でも混合、使用できる。
また、エポキシセメントモルタルを火で焼いた場合、モルタルは熱膨張で彈けるが樹脂は燃えず危険な有毒ガスも発生しない。
（ホ）モルタルの硬化剤となった水の乾燥はモルタルだけの時の３０倍近く遅くなるが、その間モルタルの水養生をしモルタルの収縮を防止する。
その結果次のような実績を確認した。
（イ）北海道十勝川のダムに長さ１０ｍ程のステンレス放水口の枠が据え付けられた。
しかしモルタルとステンレスの接着面に隙間ができるため水が洩り、その補修に３年間を要されたが失敗。放水口の補修は２つあったが２日で修了。
（ロ）海底５０ｍの関門トンネルにモルタルの補修部があった。補修部は塩分で接着面から剥離して居た所の再補修工事であったが施工後２年の検査で変化なしであった。
（ハ）地下１０ｍのコンクリート硫酸槽にミカン箱大の穴が空いた。硫酸が地中に流失するのを防止する工事であったが、気温が１〜２℃の寒い中の工事なので耐酸補修工事は不可能と云われた所をエポキシセメントは耐酸性なので穴詰めをしたと同時に作業は修了した。
大学土木工学課でのテスト。モルタル対２液性湿潤面接着エポキシ、１００：５
圧縮強度　２８．７→４２．３　Ｎ／ｍｍ　１．４７倍
接着強度　０．１１→１．１２　Ｎ／ｍｍ　９．６１倍
曲げ強度　５．６２→７．４４　Ｎ／ｍｍ　１．３２倍
透水率　　０．１２→０．０１　Ｎ／ｍｍ　０．０８倍
【０００６】
【発明の効果】
２液性湿潤面エポキシ樹脂は水硬性セメントのモルタルやコンクリート、また速硬性のセメントにも利用でき何れも強硬、耐酸、耐久性となります。
接着力が強いので今までモルタルが接着しなかったガラス、塩ビ、ゴムにも接着し、鋼矢板などでは公害となる薬液を注入しなくて済みます。
圧縮強度が１．４７倍あるので橋梁など重量を３０％程軽くする事が出来ます。
強接着、強硬、耐火性を必要とするビル支柱などの耐震補強を薄い厚みで補修でき橋脚鋼板巻き補強法で夏場、接着剤として注入されるエポキシ樹脂は発熱発泡で強度０となり安いが、その失敗を防止する。
公害防止の薬品流失防止や、道路の緊急補修工事を数十分で行えます。
(57)【要約】【課題】近年趣味として普及し始めた陶芸上絵付けにおいて、絵が不得手な人にも作画できるようにする、転写紙を提供する。【解決手段】いわゆる塗り絵として使用する転写紙であって、台紙１の上面全体に水溶性の糊２をコーティングし、さらに可燃性インクで図柄３を印刷して、構成されている。【選択図】図１ID=005010 HE=039 WI=154 LX=0000 LY=0000>
2004067496.tif 000002
【特許請求の範囲】
【請求項１】
陶磁器、ガラス、ホウロウ等に用いる窯業用転写紙であって、図柄や模様全体もしくは図柄や模様の輪郭線のみを、可燃性インクで印刷する事を特徴とする転写紙。
【発明の詳細な説明】
【０００１】
【発明の属する技術分野】
本発明は、描画を苦手とする人でも容易に陶芸の上絵付けを楽しめるような、陶芸初心者を対象とする転写紙に関する。
【０００２】
【従来の技術】
近年趣味として、無地の陶磁器に描画を施す上絵付けが普及している。これには以下の二つの技法が主に使用される。その一つは鉛筆などで陶磁器表面に直接下絵を手書きし、しかる後に上絵付け用絵の具で描画を行う方法である。さらに別の技法として、上絵付け用絵の具のような陶磁器の焼成時に燃え尽きないインクで輪郭線だけが印刷された転写紙を用い、無地の陶磁器上に輪郭線だけを先に焼き付けてから、あらためて描画を開始する方法である。
【０００３】
【発明が解決しようとする課題】
先ず陶磁器表面に直接下絵を手書きする技法であるが、作画を全く不得手とする人には困難な方法である。次に、輪郭線部分だけが上絵付け用絵の具で印刷された転写紙を用いて、最初に輪郭線だけを陶磁器に焼き付け、しかる後に描画を始める技法であるが、一般に陶磁器の表面は紙と異なり曲面であって、初心者には非常に描きにくく、その為仮に輪郭線があったとしても、描画は容易ではない。また、美術的に大変重要な表現手法であるところの、輪郭線を全く描きこまない絵画表現や輪郭線部分をぼかして描く絵画表現が、使えなくなってしまう。
【０００４】
【課題を解決するための手段】
上記の問題点を解決するため本発明は、陶磁器、ガラス、ホウロウ等に用いる転写紙であって、図柄や模様全体もしくは図柄や模様の輪郭線のみを、陶磁器の焼成時に焼却されてしまう、可燃性のインクで印刷する事を特徴とする、塗り絵式の転写紙を提供するものである。なおここで言う図柄や模様とは、写真や絵画及び書や文字なども含め、陶磁器に焼きつける事を目的とするすべての着色技法を指すものである。
【０００５】
【発明の実施例】
以下に本発明の実施例を図面により説明する。図１は図柄の輪郭線のみを印刷した本発明の平面図であり、図２は本発明の断面図である。通常転写紙と呼ばれる、吸水性を有し表面に水溶性の糊２を塗布した台紙１上に、可燃性インクにより図柄の輪郭線３が点線で印刷されている。
【０００６】描画にあたっては、先ず黒色油溶性上絵付け用絵の具を細い筆に付け、図３の４のようにして印刷された輪郭線をなぞる。絵の具４の乾燥後にさらに図４のように、カバーコートと称せられる合成樹脂製塗料５を上塗りする。カバーコート５の乾燥を待って、その上に図５の６のごとく、再び油溶性上絵付け絵の具を用いて着色し、描画を完成させる。
【０００７】絵の具が充分に乾燥したら、台紙ごと水に漬ける。糊層２が溶解して、カバーコート５は、下面に輪郭線３及び４、上面に着色部６が付着したシート状フィルムとして台紙１からはがれるので、このフィルムを陶磁器に貼りつけて焼成する。加熱燃焼によりカバーコート５と可燃性印刷インク３が消失し、上絵付け絵の具４及び６で描かれた絵だけが陶磁器表面に焼き付き、図６のごとく上絵付け陶磁器の作品が完成する。
【０００８】この実施の形態によれば、塗り絵のように輪郭線が確定した状況下において、すべての描画作業が転写紙という平面上で行われるので、初心者にも容易に上絵付けを楽しむ事ができる。
【０００９】図７は本発明による第２の実施例を示す。すなわち台紙１の糊層２上に可燃性インク３で印刷された輪郭線の内側部分を、ちょうど塗り絵を塗るように油溶性上絵付け絵の具６で塗っていく。乾燥後にカバーコート５を塗布し、前述実施例同様水に漬けて取り出した、シート状フィルムを陶磁器に貼りつけて焼成し、上絵付けを完成させる。この実施例によれば、輪郭線３は燃焼消失してしまい、作画の初心者であっても、図８のごとく容易に、輪郭線を全く描きこまない絵画表現の上絵付け作品を、得ることができる。
【００１０】以上本発明の実施例を説明したが、もちろん本発明はこれらの実施例に限定されるものではない。例えば図３のように輪郭線をなぞったのみで、着色せずに焼き付ければ、絵画表現で言う線画表現技法を楽しむ事ができる。また実施例では、輪郭線だけが可燃性インクにより点線で印刷された転写紙の場合について説明したが、実線による輪郭線印刷でも何ら問題はない。さらに可燃性インクで図柄全体をカラー印刷した場合は、印刷された原画と同じ色を選んで印刷図柄の上に上絵付け用絵の具をのせて行くだけで良く、上絵付け絵の具による塗り絵式着色がはるかに楽に行える。
【００１１】なお実施例では、輪郭線の描画に黒色油溶性絵の具を、描画全体の着色にも油溶性絵の具を指示している。しかしいずれの場合も、乾燥後に水に溶けなければ、その色や油性水性は問わない。
【００１２】さらにここで言う印刷とは、転写紙に可燃性インクを定着させる方法の総称であり、種々の版画技法やコピー利用、さらにゴム印やスタンプ類なども含まれるものである。
【００１３】
【発明の効果】
本発明は、陶磁器の焼成時に燃焼消失する可燃性インクで図柄を印刷した転写紙であって、上記のように使用するものであるから、特に上絵付け陶芸の初心者には、次のような優れた効果を可能とする。すなわちあらかじめ輪郭線が印刷されているので、塗り絵と同じ感覚で簡単に描画を行う事ができる。しかも、輪郭線を描く絵画技法や輪郭線を描かない絵画技法、また輪郭線だけで描き塗りを伴わない技法などを自由に選択する事ができる。さらにすべての描画作業が転写紙という平面上で行われ、しかる後に曲面を持つ陶磁器に移されるので、初心者でも容易に上絵付け陶芸を楽しむ事ができる。
【図面の簡単な説明】
【図１】本発明の平面図である。
【図２】本発明の断面図である。
【図３】本発明の第１の実施例を示す平面図である。
【図４】本発明の第１の実施例を示す断面図である。
【図５】本発明の第１の実施例を示す断面図である。
【図６】本発明の第１の実施例を用いた、陶磁器の絵付け完成図である。
【図７】本発明の第２の実施例を示す断面図である。
【図８】本発明の第２の実施例を用いた、陶磁器の絵付け完成図である。
【符号の説明】
１　台紙
２　水溶性糊
３　可燃性インク
４　輪郭線用油溶性上絵付け絵の具
５　カバーコート
６　着色描画用油溶性上絵付け絵の具
【図１】
2004067496.tif 000003
【図２】
2004067496.tif 000004
【図３】
2004067496.tif 000005
【図４】
2004067496.tif 000006
【図５】
2004067496.tif 000007
【図６】
2004067496.tif 000008
【図７】
2004067496.tif 000009
【図８】
2004067496.tif 000010